(57)【要約】【課題】ウエスト周り伸縮自在ボトムズにおいて、前身頃及び後身頃の上部にシワ等が生ずるのを確実に防止するとともに、タックや収容部の開口端を目立たないようにして見栄えを向上させ、かつ、生産性を高めること。【解決手段】スーツ用ズボン１は、脇線ＬＳ，ＲＳの上端にタック５が設けられたことで、延出部３Ｂと収容部３Ａとの間に接続された主弾性材が伸縮してウエスト周りが伸縮するのに伴ってタック５が開閉するために、前身頃４及び後身頃９の上部にシワ等が生ずるのが防止され、タック５は脇線ＬＳ，ＲＳに沿って設けられているため閉じた状態では脇線ＬＳ，ＲＳと一体となり、開いた状態でも脇線ＬＳ，ＲＳの延長線上にあるため、目立つことがなく、更に脇線ＬＳ，ＲＳに沿って収容部の開口端３Ａｂが設けられているため延長線上にある線として一体に認識され、その上ベルト通し７が設けられているため、目立つことがなく、見栄えが向上する。【選択図】図１
2009102790.tif 000002
【特許請求の範囲】
【請求項１】
芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、
両脇の脇線に沿って前記両脇の脇線の上端にタックが設けられるとともに、前記タックの近傍に前記ベルト部の重ね合せ部が設けられ、前記両脇の脇線に沿って前記収容部の開口端が設けられたことを特徴とするウエスト周り伸縮自在ボトムズ。
【請求項２】
芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、
両脇の脇線に沿って前記両脇の脇線の上端の近傍の裏側にタックが設けられるとともに、前記タックの近傍に前記ベルト部の重ね合せ部が設けられ、前記両脇の脇線に沿って前記収容部の開口端が設けられたことを特徴とするウエスト周り伸縮自在ボトムズ。
【請求項３】
前記両脇の脇線の近傍に、または前記両脇の脇線に沿って、ポケットが設けられたことを特徴とする請求項１または請求項２に記載のウエスト周り伸縮自在ボトムズ。
【請求項４】
前記ポケットは外縁が前記ベルト部の前記両脇の脇線の近傍の前中心方向から前記両脇の脇線に向かって直線状に伸びた脇ポケットであることを特徴とする請求項３に記載のウエスト周り伸縮自在ボトムズ。
【請求項５】
前記ポケットは外縁が略Ｌ字型形状を有するＬポケットであることを特徴とする請求項３に記載のウエスト周り伸縮自在ボトムズ。
【請求項６】
前記ポケットは前記タックの下の前記脇線にポケット口を有する脇中間ポケットまたは前記脇線の近傍の前中心よりにポケット口を有するポケットであることを特徴とする請求項３に記載のウエスト周り伸縮自在ボトムズ。
【請求項７】
前記ベルト部において前記収容部の開口端に沿ってベルト通しが設けられたことを特徴とする請求項１乃至請求項６のいずれか１つに記載のウエスト周り伸縮自在ボトムズ。
【請求項８】
前記脇線の上端はその折り目（脇山線）の裏側またはその近傍に芯材が貼り付けられたことを特徴とする請求項１乃至請求項７のいずれか１つに記載のウエスト周り伸縮自在ボトムズ。
【発明の詳細な説明】
【技術分野】
【０００１】
本発明は、ベルト部に重ね合せ部を備えたウエスト部を有する被服、すなわち、スーツ用ズボンや綿パン等のパンツ（ズボン）、スカート、キュロットスカート等（以下、「ボトムズ（bottoms）」という）のウエストサイズを伸縮自在としたボトムズの見栄えを良くしたウエスト周り伸縮自在ボトムズに関するものである。
【背景技術】
【０００２】
一般に、パンツ（ズボン）等のボトムズの既製品のベルト部のサイズは、例えば、６９ｃｍ、７２ｃｍ、７５ｃｍといったように所定間隔で設定されており、購入者は自己のベルトサイズに近いものを選択して購入し、自己のベルトサイズに修正したり、革ベルト等によって矯正したりして着用している。しかしながら、ベルトサイズを修正する場合には修正作業が必要で手間及び費用を要し、革ベルト等によって矯正する場合にはパンツ等のベルト部にシワが生じてテザイン的に好ましくなく、更に着用した際の快適性も劣るという問題がある。
【０００３】
そこで、これを解決したものとして、本発明者の発明に係る特許文献１及び特許文献２に記載された特許発明等の技術が公知である。すなわち、パンツ等のベルト部の横側、前側の一部にゴム等の弾性材を介在させ、この弾性材によってベルトサイズを伸縮させることができるようにしたものである。更に、本発明者は、これらの特許発明を改良して、伸縮自在にするために形成されている隙間を広げたときでもその見栄えを良くするとともに、滑らかな伸縮が可能な被服のウエストサイズ伸縮自在構造についての発明をし、この発明について特許出願をして特許を受けている（特許文献３）。
【０００４】
この特許文献３に開示された特許発明においては、主弾性材の弾性力により収容部に挿入された延出部が収容部裏地のみと摺接するためその接触抵抗が少なくなり、延出部と収容部との滑らかな動きが可能となるとともに、収容部の表側及び裏側から見た収容部の内側には収容部裏地が取付けられているので、ウエスト部の芯材が見えたりして商品イメージを低下させるということがない。
【特許文献１】特許第２５７８０７９号公報
【特許文献２】特許第２５１８８０４号公報
【特許文献３】特許第３９６４５９５号公報
【発明の開示】
【発明が解決しようとする課題】
【０００５】
しかしながら、特許文献３に記載の技術においては、延出部と収容部との動きに追従して前身頃にシワが生じないようにするために、１対以上のタックを設けており、このタックの折れ曲がり部分が外側から見えるため、ボトムズを始めとする被服のウエストサイズが伸縮するたびにタックが開閉するのが明らかに分かり、美観を損ねるという問題点があった。
【０００６】
そこで、本発明においては、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズの提供を課題とする。
【課題を解決するための手段】
【０００７】
請求項１の発明に係るウエスト周り伸縮自在ボトムズは、芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、両脇の脇線に沿って前記両脇の脇線の上端にタックが設けられるとともに、前記タックの近傍に前記ベルト部の重ね合せ部が設けられ、前記両脇の脇線に沿って前記収容部の開口端が設けられたものである。
【０００８】
請求項２の発明に係るウエスト周り伸縮自在ボトムズは、芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、両脇の脇線に沿って前記両脇の脇線の上端の近傍の裏側にタックが設けられるとともに、前記タックの近傍に前記ベルト部の重ね合せ部が設けられ、前記両脇の脇線に沿って前記収容部の開口端が設けられたものである。
【０００９】
請求項３の発明に係るウエスト周り伸縮自在ボトムズは、請求項１または請求項２の構成において、前記両脇の脇線の近傍に、または前記両脇の脇線に沿って、ポケットが設けられたものである。
【００１０】
ここで、「ポケット」としては、外縁が直線の脇ポケット、外縁が略Ｌ字型形状のＬポケット、その変形で外縁が略Ｓ字型形状のＳポケット、等を始めとしてどのような外縁形状を有するものでも良い。また、「ポケット」は両脇に設けられることが必要であるが、両脇のポケットが左右対称であることは必須要件ではなく、右脇のポケットと左脇のポケットとが種類が異なるものでも良い。
【００１１】
請求項４の発明に係るウエスト周り伸縮自在ボトムズは、請求項３の構成において、前記ポケットは外縁が前記ベルト部の前記両脇の脇線の近傍の前中心方向から前記両脇の脇線に向かって直線状に伸びた脇ポケットであるものである。
【００１２】
請求項５の発明に係るウエスト周り伸縮自在ボトムズは、請求項３の構成において、前記ポケットは外縁が略Ｌ字型形状を有するＬポケットであるものである。
【００１３】
請求項６の発明に係るウエスト周り伸縮自在ボトムズは、請求項３の構成において、前記ポケットは前記タックの下の前記脇線にポケット口を有する脇中間ポケットまたは前記脇線の近傍の前中心よりにポケット口を有するポケットであるものである。
【００１４】
請求項７の発明に係るウエスト周り伸縮自在ボトムズは、請求項１乃至請求項６のいずれか１つの構成において、前記ベルト部において前記収容部の開口端に沿ってベルト通しが設けられたものである。
【００１５】
請求項８の発明に係るウエスト周り伸縮自在ボトムズは、請求項１乃至請求項７のいずれか１つの構成において、前記脇線の上端はその折り目（脇山線）の裏側またはその近傍に芯材が貼り付けられたものである。ここで、芯材は脇線の上端の折り目（脇山線）の裏側またはその近傍に接着剤で貼り付けられても良いし、芯材として接着芯を用いて、アイロンプレス等によって貼り付けられても良い。
【発明の効果】
【００１６】
請求項１の発明に係るウエスト周り伸縮自在ボトムズは、芯材を有するベルト部の重ね合せ部と、重ね合せ部の一方のベルト部側に設けられてその一端が延出するベルト部に形成された延出部と、重ね合せ部の他方のベルト部側に形成され、延出部を意匠面側から隠れるように収容する収容部と、延出部と収容部との間に両端が接続された主弾性材とを具備し、ベルト部の見掛け上の長さを伸縮自在としたウエスト周り伸縮自在ボトムズであって、両脇の脇線に沿って両脇の脇線の上端にタックが設けられるとともに、タックの近傍にベルト部の重ね合せ部が設けられ、両脇の脇線に沿って収容部の開口端が設けられている。
【００１７】
このように、両脇の脇線の上端にタックが設けられたことによって、延出部と収容部との間に両端が接続された主弾性材が伸縮してウエスト周りが伸縮するのに伴って、タックが開閉するために、ベルト部に縫付けられたボトムズの前身頃及び後身頃の上部にシワ等が生ずるのが防止される。そして、タックは、ボトムズの前身頃と後身頃が接ぎ合わされて形成される脇線に沿って設けられているため、閉じた状態では脇線と一体となり、開いた状態でも脇線の延長線上にあるため、目立つことがなく見栄えを向上させることができる。
【００１８】
また、タックの近傍にベルト部の重ね合せ部が設けられ、両脇の脇線に沿って収容部の開口端が設けられているために、収容部の開口端も脇線の延長線上にある線として一体に認識され、収容部の開口端も目立つことがなく見栄えを向上させることができる。そして、脇線もタックも収容部の開口端も、全て狭い範囲内に集中しているため、ボトムズの縫製作業を狭い範囲内で集中して行うことができ、縫製の回数も少なくなるため、生産性の高いウエスト周り伸縮自在ボトムズとすることができる。
【００１９】
このようにして、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【００２０】
請求項２の発明に係るウエスト周り伸縮自在ボトムズは、芯材を有するベルト部の重ね合せ部と、重ね合せ部の一方のベルト部側に設けられてその一端が延出するベルト部に形成された延出部と、重ね合せ部の他方のベルト部側に形成され、延出部を意匠面側から隠れるように収容する収容部と、延出部と収容部との間に両端が接続された主弾性材とを具備し、ベルト部の見掛け上の長さを伸縮自在としたウエスト周り伸縮自在ボトムズであって、両脇の脇線に沿って両脇の脇線の上端の近傍の裏側にタックが設けられるとともに、タックの近傍にベルト部の重ね合せ部が設けられ、両脇の脇線に沿って収容部の開口端が設けられている。
【００２１】
このように、両脇の脇線の上端の近傍の裏側にタックが設けられたことによって、延出部と収容部との間に両端が接続された主弾性材が伸縮してウエスト周りが伸縮するのに伴って、タックが開閉するために、ベルト部に縫付けられたボトムズの前身頃及び後身頃の上部にシワ等が生ずるのが防止される。そして、タックは、ボトムズの脇線の近傍の裏側に設けられているためタックの折れ曲がり線は外側からは見えず、閉じた状態でも開いた状態でも目立つことがなく、見栄えを向上させることができる。
【００２２】
また、タックの近傍にベルト部の重ね合せ部が設けられ、両脇の脇線に沿って収容部の開口端が設けられているために、収容部の開口端も脇線の延長線上にある線として一体に認識され、収容部の開口端も目立つことがなく見栄えを向上させることができる。そして、脇線もタックも収容部の開口端も、全て狭い範囲内に集中しているため、ボトムズの縫製作業を狭い範囲内で集中して行うことができ、縫製の回数も少なくなるため、生産性の高いウエスト周り伸縮自在ボトムズとすることができる。
【００２３】
このようにして、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【００２４】
請求項３の発明に係るウエスト周り伸縮自在ボトムズにおいては、両脇の脇線の近傍に、または両脇の脇線に沿って、ポケットが設けられている。ここで、「ポケット」としては、外縁が直線の脇ポケット、外縁が略Ｌ字型形状のＬポケット、その変形で外縁が略Ｓ字型形状のＳポケット、等を始めとしてどのような外縁形状を有するものでも良い。また、「ポケット」は両脇に設けられることが必要であるが、両脇のポケットが左右対称であることは必須要件ではなく、右脇のポケットと左脇のポケットとが種類が異なるものでも良い。
【００２５】
このようにポケットが設けられることによって、請求項１または請求項２に記載の効果に加えて、両脇に小物を収容できるスペースが確保されて、より使い易いウエスト周り伸縮自在ボトムズとなる。そして、両脇の脇線の近傍にポケットが設けられることによって、脇線と一体になったタックはポケットの後端の線として認識され、より目立つことがない。また、両脇の脇線に沿ってポケットが設けられることによって、ポケット口が脇線と一体になって、より目立つことがないポケットとなる。
【００２６】
このようにして、より使い易く、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【００２７】
請求項４の発明に係るウエスト周り伸縮自在ボトムズにおいては、ポケットは外縁がベルト部の両脇の脇線の近傍の前中心方向から両脇の脇線に向かって直線状に伸びた脇ポケットである。
【００２８】
したがって、請求項３に記載の効果に加えて、スーツ用ズボン等のフォーマルなボトムズにも、ジーンズ・綿パン等のカジュアルなボトムズにもマッチするポケットである、脇ポケットの設けられたウエスト周り伸縮自在ボトムズにおいて、見栄えを向上させることができる。
【００２９】
このようにして、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【００３０】
請求項５の発明に係るウエスト周り伸縮自在ボトムズにおいては、ポケットは外縁が略Ｌ字型形状を有するＬポケットである。
【００３１】
したがって、請求項３に記載の効果に加えて、特にジーンズ・綿パン等のカジュアルなボトムズにマッチするポケットであり、また婦人用パンツのポケットとしても適したポケットであるＬポケットの設けられたウエスト周り伸縮自在ボトムズにおいて、見栄えを向上させることができる。
【００３２】
このようにして、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【００３３】
請求項６の発明に係るウエスト周り伸縮自在ボトムズにおいては、ポケットはタックの下の脇線にポケット口を有する脇中間ポケットまたは脇線の近傍の前中心よりにポケット口を有するポケットである。
【００３４】
これらのポケットは、骨盤の大きい婦人が着用してもポケット口にシワ等が生ずることがないため、特に婦人用パンツのポケットとして適したポケットである。したがって、請求項３に記載の効果に加えて、特に婦人用パンツとして適したウエスト周り伸縮自在ボトムズとなる。
【００３５】
このようにして、特に婦人用パンツとして適しており、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【００３６】
請求項７の発明に係るウエスト周り伸縮自在ボトムズにおいては、ベルト部において収容部の開口端に沿ってベルト通しが設けられている。
【００３７】
したがって、請求項１乃至請求項６に記載の効果に加えて、両脇の脇線に沿って設けられているために目立つことがない収容部の開口端が、更にベルト通しによって隠されるため、外側から見え難くなり、一層見栄えが向上する。
【００３８】
このようにして、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【００３９】
請求項８の発明に係るウエスト周り伸縮自在ボトムズにおいては、脇線の上端はその折り目（脇山線）の裏側またはその近傍に芯材が貼り付けられている。ここで、芯材は脇山線の裏側またはその近傍に接着剤で貼り付けられても良いし、芯材として接着芯を用いて、アイロンプレス等によって貼り付けられても良い。
【００４０】
したがって、請求項１乃至請求項７に記載の効果に加えて、着用してタックが開く際に立ち上がり易い脇線の上端の折り目（脇山線）が立ち上がるのを、脇山線の裏側またはその近傍に芯材を貼り付けることによって折り目（脇山線）が開き易くすることで防止して、タックが開くときに脇山線が立ち上がって見栄えが損なわれるのを、確実に防止することができる。
【００４１】
このようにして、ボトムズの前身頃及び後身頃の上部にシワ等が生ずるのを確実に防止するとともに、タックや収容部の開口端を目立たないようにして見栄えを向上させることができ、かつ、生産性を高めることができるウエスト周り伸縮自在ボトムズとなる。
【発明を実施するための最良の形態】
【００４２】
以下、本発明の実施の形態に係るウエスト周り伸縮自在ボトムズについて、図面を参照しつつ説明する。なお、各実施の形態において、同一の記号及び同一の符号は同一または相当する機能部分を意味し、実施の形態相互の同一の記号及び同一の符号は、それら実施の形態に共通する機能部分であるから、ここでは重複する詳細な説明を省略する。
【００４３】
実施の形態１
まず、本発明の実施の形態１に係るウエスト周り伸縮自在ボトムズについて、図１乃至図４を参照して説明する。
【００４４】
図１（ａ）は本発明の実施の形態１に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。図２は本発明の実施の形態１に係るウエスト周り伸縮自在ボトムズの要部の縫製途中の構成を表側から見て示す部品展開図である。図３（ａ），（ｂ），（ｃ）はタックの折り目の裏側またはその近傍に芯材を貼ることを示す部品展開図である。図４（ａ），（ｂ），（ｃ）は本発明の実施の形態１に係るウエスト周り伸縮自在ボトムズの要部裏面の縫製途中の構成を示す部品展開図である。
【００４５】
図１（ａ）に示されるように、本実施の形態１に係るウエスト周り伸縮自在ボトムズとしてのスーツ用ズボン１は、前身頃４の脇線ＬＳ，ＲＳの近傍に左右１対の脇ポケット２を有しており、これらの脇ポケット２の後端に当る脇線ＬＳ，ＲＳの上端にタック５が設けられており、これらのタック５の近傍に、ベルト部３の見掛け上の長さを伸縮自在としたウエスト周り伸縮自在構造を有している。
【００４６】
すなわち、ベルト部３には前身頃４の脇線ＬＳ，ＲＳの上部の近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されることによって、ベルト部３の見掛け上の長さを伸縮自在としている。そして、ベルト部３の伸縮に伴って、脇線ＬＳ，ＲＳの上端に設けられたタック５が開閉する。
【００４７】
これによって、ベルト部３に引っ張り力が掛かっていない場合には、図１（ｂ）に示されるように、タック５は閉じていて脇線ＬＳ，ＲＳと一致しており、また脇線ＬＳ，ＲＳはベルト部３に設けられた収容部３Ａの開口端と一致しており、ベルト部３に引っ張り力が掛かってウエスト周りが伸びると、図１（ｃ）に示されるように、タック５が開いて脇線ＬＳ，ＲＳの延長線がベルト部３に設けられた収容部３Ａの開口端と一致する。
【００４８】
更に、図１（ｂ）に示されるように、ベルト部３に設けられた収容部３Ａの開口端を隠すように、ベルト通し７がベルト部３に設けられている。なお、脇ポケット２の袋布が表側から見えないようにするために、前身頃４と共地のウール生地からなる当て布６が左右１対の脇ポケット２の袋布の外側から見える部分に縫付けられている。
【００４９】
また、図１（ｂ），（ｃ）に示されるように、収容部３Ａ及び延出部３Ｂの上下端にはベルト布ステッチ３ａ，３ｂが施されている。ジーンズ（Ｇパン）、綿パンを始めとするカジュアルなボトムズにおいては、このようなベルト布ステッチ３ａ，３ｂを施すのが一般的であるが、本実施の形態１に係るスーツ用ズボン１等のフォーマルなボトムズでは、ベルト布ステッチを施さない場合もある。以下の図２乃至図４，図６，図７においては、図を見易くするため、ベルト布ステッチの図示を省略する。
【００５０】
次に、本実施の形態１に係るスーツ用ズボン１におけるタック５の形成方法について、図２を参照して説明する。図２は左脇の脇ポケットの近傍を拡大して示した図である。
【００５１】
図２に示されるように、前身頃４と後身頃９とが接ぎ合わされて、左側の脇線ＬＳが形成されるが、ここで前身頃４の上端は脇線ＬＳから離れて脇ポケット２の外縁２Ａを形成し、その裏側には脇ポケット２のポケット袋布８が縫付けられ、またポケット袋布８には当て布６が縫付けられて、その端は後身頃９と接ぎ合わされて左側の脇線ＬＳの上部を形成する。そして、更にポケット袋布８及び当て布６の上端を折り曲げることによって、タック５が形成される。
【００５２】
ここで、図３に示されるように、タック５の折り目（脇山線）５ａの裏側またはその近傍には、折り目（脇山線）５ａを折り曲げる前に予め芯材１４，１４Ａ，１４Ｂ，１４Ｃが貼り付けられている。これによって、着用する際に立ち上がり易いタック５の折り目（脇山線）５ａが立ち上がるのを、折り目（脇山線）５ａが開き易くすることによって防止して、タック５が開くときに見栄えが損なわれるのを確実に防止することができる。特に、図３（ｄ）に示されるように、タック５の折り目（脇山線）５ａの裏側の、折り目５ａから離れた近傍に芯材１４Ｃを貼り付けるのが、より効果的である。
【００５３】
図２に示されるように、これらの前身頃４及び後身頃９の上部に、収容部３Ａを構成するベルト布３Ａａ及び延出部３Ｂを構成するベルト布３Ｂａが、収容部の開口端３Ａｂが脇線ＬＳの延長線上に位置するように縫付けられる。なお、収容部３Ａを構成するベルト布３Ａａは、スーツ用ズボン１の前身頃４及び後身頃９と共地のウール生地であり、延出部３Ｂを構成するベルト布３Ｂａもスーツ用ズボン１の前身頃４及び後身頃９と共地のウール生地である。
【００５４】
このようにして、左側の脇線ＬＳに沿ってタック５が形成され、右側の脇ポケット２の近傍にも、同様にして右側の脇線ＲＳに沿ってタック５が形成される。このように、本実施の形態１に係るスーツ用ズボン１においては、要部が左右の脇線ＬＳ，ＲＳの近傍に集中しているため、縫製の回数が少なくなり、生産効率が向上する。
【００５５】
次に、ウエスト周り伸縮自在構造について、図４を参照して説明する。図４は左側の脇ポケット２の近傍をスーツ用ズボン１の裏側から見て示したものである。図４（ａ）に示されるように、収容部３Ａ及び延出部３Ｂ内には、芯材としてのソフト芯ＳＣ及びハード芯ＨＣが、アイロンプレスによって貼り付けられている。そして、収容部３Ａと延出部３Ｂとの間に、主弾性材としての幅の広いゴムテープ１０が縫付けられている。
【００５６】
ここで、図４（ａ），（ｂ）に示されるように、収容部３Ａの端３Ａｂは表裏ともベルト部３の長手方向に対して略垂直であり、また収容部３Ａを構成するベルト布３Ａａの開口部近傍の内側には、延出部３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【００５７】
これら延出部３Ｂの先端と収容部３Ａの内側とが、収容部３Ａの内部において主弾性材としての幅の広いゴムテープ１０によって接続されている。更に、ゴムテープ１０には伸縮性のない生地からなる帯状の伸び止め材１１が縫付けられており、ゴムテープ１０に引っ張り力が掛かっても、この伸び止め材１１が折り畳まれている長さまでしか伸びることができない。
【００５８】
すなわち、伸び止め材１１によって、ゴムテープ１０の最大伸び長さが規定されている。これによって、ゴムテープ１０が過度に伸びるのを防止して、ゴムテープ１０の寿命を長くするようにしている。このゴムテープ１０に対する伸び止め材１１の作用は、以下の各実施の形態においても全く同様であり、伸び止め材１１が折り畳まれている長さによって、各実施の形態におけるウエスト周りの伸縮長さを決定している。なお、本実施の形態１に係るスーツ用ズボン１においては、伸び止め材１１の折り畳み部分の長さを約２ｃｍとして、ウエスト周りの伸縮長さを約２ｃｍとしている。
【００５９】
また、図４（ｃ）に示されるように、脇ポケット２のポケット袋布８の上端と延出部３Ｂの下端とを補助弾性材としての幅の細いゴムテープ１２で接続しており、これによってウエスト周り伸縮自在構造によって延出部３Ｂが移動する際に脇ポケット２のポケット袋布８の形状が崩れたりして見栄えが悪くなるのを防ぐ働きをしている。
【００６０】
このような構造を有する収容部３Ａを輪にして下端で閉じるとともに、図４（ｃ）に示されるように、収容部３Ａの下端にスーツ用ズボン１の後身頃９の側を縫付け、延出部３Ｂを閉じるとともに、延出部３Ｂの下端に脇ポケット２の外縁２Ａを形成するスーツ用ズボン１の前身頃４の側を縫付けることによって、本実施の形態１に係るスーツ用ズボン１の縫製が完了する。
【００６１】
すなわち、本実施の形態１に係るスーツ用ズボン１は、両脇の脇線ＬＳ，ＲＳに沿って両脇の脇線ＬＳ，ＲＳの上端にタック５が設けられるとともに、両脇の脇線ＬＳ，ＲＳから前中心ＦＣ方向に向かってポケット２が設けられ、タック５の近傍にベルト部３の重ね合せ部が設けられ、両脇の脇線ＬＳ，ＲＳに沿って収容部の開口端３Ａｂが設けられ、ポケット２は外縁２Ａがベルト部３の両脇の脇線ＬＳ，ＲＳの近傍の前中心ＦＣ方向から両脇の脇線ＬＳ，ＲＳに向かって直線状に伸びた脇ポケット２である。
【００６２】
更に、ベルト部３において収容部の開口端３Ａｂに沿ってベルト通し７が設けられており、またタック５はその折り目（脇山線）５ａの裏側またはその近傍に芯材１４，１４Ａ，１４Ｂ，１４Ｃが貼り付けられている。したがって、本実施の形態１に係るウエスト周り伸縮自在ボトムズとしてのスーツ用ズボン１は、請求項１，請求項３，請求項４，請求項７及び請求項８に係る発明のウエスト周り伸縮自在ボトムズに該当する。
【００６３】
これによって、本実施の形態１に係るスーツ用ズボン１は、両脇の脇線ＬＳ，ＲＳの上端にタック５が設けられたことによって、延出部３Ｂと収容部３Ａとの間に両端が接続された主弾性材１０が伸縮してウエスト周りが伸縮するのに伴って、タック５が開閉するために、ベルト部３に縫付けられた前身頃４及び後身頃９の上部にシワ等が生ずるのが防止される。そして、タック５は、前身頃４と後身頃９が接ぎ合わされて形成される脇線ＬＳ，ＲＳに沿って設けられているため、閉じた状態では脇線ＬＳ，ＲＳと一体となり、開いた状態でも脇線ＬＳ，ＲＳの延長線上にあるため、目立つことがなく見栄えが向上する。
【００６４】
また、脇ポケット２も脇線ＬＳ，ＲＳから前中心ＦＣ方向に向かって設けられているため、脇線ＬＳ，ＲＳと一体になったタック５は脇ポケット２の後端の線として認識され、目立つことがない。更に、タック５の近傍にベルト部３の重ね合せ部が設けられ、両脇の脇線ＬＳ，ＲＳに沿って収容部の開口端３Ａｂが設けられているために、収容部の開口端３Ａｂも脇線ＬＳ，ＲＳの延長線上にある線として一体に認識され、その上収容部の開口端３Ａｂに沿ってベルト通し７が設けられているため、目立つことがなく見栄えを向上させることができる。
【００６５】
そして、脇線ＬＳ，ＲＳもタック５も収容部の開口端３Ａｂも、全て狭い範囲内に集中しているため、スーツ用ズボン１の縫製作業を狭い範囲内で集中して行うことができ、縫製の回数も少なくなるため、生産性の高いウエスト周り伸縮自在ボトムズとすることができる。また、着用する際に立ち上がり易いタック５の折り目（脇山線）５ａが立ち上がるのを、折り目（脇山線）５ａの裏側またはその近傍に芯材１４，１４Ａ，１４Ｂ，１４Ｃを貼り付けることによって、折り目（脇山線）５ａが開き易くすることで防止して、タック５が開くときに見栄えが損なわれるのを確実に防止することができる。
【００６６】
このようにして、本実施の形態１に係るウエスト周り伸縮自在ボトムズとしてのスーツ用ズボン１においては、前身頃４及び後身頃９の上部にシワ等が生ずるのを確実に防止するとともに、タック５や収容部の開口端３Ａｂを目立たないようにして見栄えを向上させることができ、かつ、生産性を高めることができるという作用効果が得られる。
【００６７】
実施の形態２
次に、本発明の実施の形態２に係るウエスト周り伸縮自在ボトムズについて、図５乃至図７を参照して説明する。なお、本発明の実施の形態２に係るウエスト周り伸縮自在ボトムズは、一部を除いて上記実施の形態１に係るウエスト周り伸縮自在ボトムズと同様の構造を有しているため、同一の部分には同一の符号を付して、詳細な説明を省略する。
【００６８】
図５（ａ）は本発明の実施の形態２に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。図６（ａ）は本発明の実施の形態２に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。図７（ａ），（ｂ），（ｃ）は本発明の実施の形態２に係るウエスト周り伸縮自在ボトムズの要部裏面の縫製途中の構成を示す部品展開図である。
【００６９】
図５（ａ）に示されるように、本実施の形態２に係るウエスト周り伸縮自在ボトムズとしてのスーツ用ズボン１６は、前身頃４の脇線ＬＳ，ＲＳの近傍に左右１対の脇ポケット２を有しており、これらの脇ポケット２の後端に当る脇線ＬＳ，ＲＳの上端の近傍の裏側にタック１７が設けられており、これらのタック１７の近傍に、ベルト部３の見掛け上の長さを伸縮自在としたウエスト周り伸縮自在構造を有している。
【００７０】
すなわち、ベルト部３には前身頃４の脇線ＬＳ，ＲＳの上部の近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されることによって、ベルト部３の見掛け上の長さを伸縮自在としている。そして、ベルト部３の伸縮に伴って、脇線ＬＳ，ＲＳの上端の裏側に設けられたタック１７が開閉する。
【００７１】
これによって、ベルト部３に引っ張り力が掛かっていない場合には、図５（ｂ）に示されるように、タック１７は閉じていて脇線ＬＳ，ＲＳと一致しており、また脇線ＬＳ，ＲＳはベルト部３に設けられた収容部３Ａの開口端と一致しており、ベルト部３に引っ張り力が掛かってウエスト周りが伸びると、図５（ｃ）に示されるように、タック１７が開いて脇線ＬＳ，ＲＳの延長線がベルト部３に設けられた収容部３Ａの開口端と一致する。
【００７２】
その他の構造については、上記実施の形態１に係るウエスト周り伸縮自在ボトムズとしてのスーツ用ズボン１と同様である。すなわち、図５（ｂ）に示されるように、ベルト部３に設けられた収容部３Ａの開口端を隠すように、ベルト通し７がベルト部３に設けられており、脇ポケット２の袋布が表側から見えないようにするために、前身頃４と共地のウール生地からなる当て布６が左右１対の脇ポケット２の袋布の外側から見える部分に縫付けられている。
【００７３】
次に、本実施の形態２に係るスーツ用ズボン１６におけるタック１７の形成方法について、図６を参照して説明する。図６は左脇の脇ポケットの近傍を拡大して示した図である。
【００７４】
図６（ａ）に示されるように、前身頃４と後身頃９とが接ぎ合わされて、左側の脇線ＬＳが形成されるが、ここで前身頃４の上端は脇線ＬＳから離れて脇ポケット２の外縁２Ａを形成し、その裏側には脇ポケット２のポケット袋布８が縫付けられ、またポケット袋布８には当て布６が縫付けられて、ポケット袋布８及び当て布６の端１８は、後身頃９と接ぎ合わされて左側の脇線ＬＳの上部を形成する。
【００７５】
そして、ポケット袋布８及び当て布６の端１８の上端を折り曲げることによって、タック１７が形成される。ここで、図６（ｂ），（ｃ）に示されるように、タック１７の折り目（脇山線）１７ａの裏側またはその近傍には、折り目（脇山線）１７ａを折り曲げる前に予め芯材１４または芯材１４Ｃが貼り付けられている。これによって、着用する際に立ち上がり易いタック１７の折り目（脇山線）１７ａが立ち上がるのを、折り目（脇山線）１７ａが開き易くすることによって防止して、タック１７が開くときに見栄えが損なわれるのを確実に防止することができる。特に、図６（ｃ）に示されるように、タック５の折り目５ａの裏側の、折り目５ａから離れた近傍に芯材１４Ｃを貼り付けるのが、より効果的である。
【００７６】
これらの前身頃４と後身頃９の上部に、収容部３Ａを構成するベルト布３Ａａ及び延出部３Ｂを構成するベルト布３Ｂａが、収容部の開口端３Ａｂが脇線ＬＳの延長線上に位置するように縫付けられる。このようにして、左側の脇線ＬＳに沿ってタック１７が形成され、右側の脇ポケット２の近傍にも、同様にして右側の脇線ＲＳに沿ってタック１７が形成される。このように、本実施の形態２に係るスーツ用ズボン１６においては、要部が左右の脇線ＬＳ，ＲＳの近傍に集中しているため、縫製の回数が少なくなり、生産効率が向上する。
【００７７】
図７に示されるように、ウエスト周り伸縮自在構造についても、上記実施の形態１に係るスーツ用ズボン１と同様であるが、収容部３Ａと延出部３Ｂとの配置のみが、上記実施の形態１に係るスーツ用ズボン１とは逆になっている。すなわち、本実施の形態２に係るスーツ用ズボン１６においては、前中心ＦＣ側に収容部３Ａが設けられており、後身頃９側に延出部３Ｂが設けられている。なお、本実施の形態２に係るスーツ用ズボン１６においては、伸び止め材１１の折り畳み部分の長さを約２．５ｃｍとして、ウエスト周りの伸縮長さを約２．５ｃｍとしている。
【００７８】
このような構造を有する収容部３Ａを輪にして下端で閉じるとともに、図７（ｃ）に示されるように、延出部３Ｂの下端にスーツ用ズボン１６の後身頃９の側を縫付け、延出部３Ｂを閉じるとともに、収容部３Ａの下端に脇ポケット２の外縁２Ａを形成するスーツ用ズボン１６の前身頃４の側を縫付けることによって、本実施の形態２に係るスーツ用ズボン１６の縫製が完了する。
【００７９】
すなわち、本実施の形態２に係るスーツ用ズボン１６は、両脇の脇線ＬＳ，ＲＳに沿って両脇の脇線ＬＳ，ＲＳの上端の裏側にタック１７が設けられるとともに、両脇の脇線ＬＳ，ＲＳから前中心ＦＣ方向に向かってポケット２が設けられ、タック１７の近傍にベルト部３の重ね合せ部が設けられ、両脇の脇線ＬＳ，ＲＳに沿って収容部の開口端３Ａｂが設けられ、ポケット２は外縁２Ａがベルト部３の両脇の脇線ＬＳ，ＲＳの近傍の前中心ＦＣ方向から両脇の脇線ＬＳ，ＲＳに向かって直線状に伸びた脇ポケット２である。
【００８０】
更に、ベルト部３において収容部の開口端３Ａｂに沿ってベルト通し７が設けられており、またタック１７はその折り目（脇山線）１７ａの裏側に芯材１４が貼り付けられている。したがって、本実施の形態２に係るウエスト周り伸縮自在ボトムズとしてのスーツ用ズボン１６は、請求項２，請求項３，請求項４，請求項７及び請求項８に係る発明のウエスト周り伸縮自在ボトムズに該当する。
【００８１】
このようにして、本実施の形態２に係るウエスト周り伸縮自在ボトムズとしてのスーツ用ズボン１６においては、前身頃４及び後身頃９の上部にシワ等が生ずるのを確実に防止するとともに、タック１７や収容部の開口端３Ａｂを目立たないようにして見栄えを向上させることができ、かつ、生産性を高めることができるという作用効果が得られる。
【００８２】
実施の形態３
次に、本発明の実施の形態３に係るウエスト周り伸縮自在ボトムズについて、図８乃至図１０を参照して説明する。
【００８３】
図８（ａ）は本発明の実施の形態３に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。図９（ａ）は本発明の実施の形態３に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。図１０（ａ），（ｂ），（ｃ）は本発明の実施の形態３に係るウエスト周り伸縮自在ボトムズの要部裏面の縫製途中の構成を示す部品展開図である。
【００８４】
図８（ａ）に示されるように、本実施の形態３に係るウエスト周り伸縮自在ボトムズとしてのＬポケット付き綿パン２１は、前身頃２４の脇線ＬＳ，ＲＳの近傍に左右１対のＬポケット２２を有しており、これらのＬポケット２２の後端に当る脇線ＬＳ，ＲＳの上端にタック２５が設けられており、これらのタック２５の近傍に、ベルト部２３の見掛け上の長さを伸縮自在としたウエスト周り伸縮自在構造を有している。
【００８５】
すなわち、ベルト部２３には前身頃２４の脇線ＬＳ，ＲＳの上部の近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されることによって、ベルト部２３の見掛け上の長さを伸縮自在としている。そして、ベルト部２３の伸縮に伴って、脇線ＬＳ，ＲＳの上端に設けられたタック２５が開閉する。
【００８６】
これによって、ベルト部２３に引っ張り力が掛かっていない場合には、図８（ｂ）に示されるように、タック２５は閉じていて脇線ＬＳ，ＲＳと一致しており、また脇線ＬＳ，ＲＳはベルト部２３に設けられた収容部２３Ａの開口端と一致しており、ベルト部２３に引っ張り力が掛かってウエスト周りが伸びると、図８（ｃ）に示されるように、タック２５が開いて脇線ＬＳ，ＲＳの延長線がベルト部２３に設けられた収容部２３Ａの開口端と一致する。
【００８７】
更に、図８（ｂ）に示されるように、ベルト部２３に設けられた収容部２３Ａの開口端を隠すように、ベルト通し２７がベルト部２３に設けられている。なお、Ｌポケット２２の袋布が表側から見えないようにするために、前身頃２４と共地の綿生地からなる当て布２６が左右１対のＬポケット２２の袋布の外側から見える部分に縫付けられている。
【００８８】
また、図８（ｂ），（ｃ）に示されるように、収容部２３Ａ及び延出部２３Ｂの上下端にはベルト布ステッチ２３ａ，２３ｂが施されている。ジーンズ（Ｇパン）、綿パンを始めとするカジュアルなボトムズにおいては、このようなベルト布ステッチ２３ａ，２３ｂを施すのが一般的であるが、本実施の形態３に係るＬポケット付き綿パン２１等のカジュアルなボトムズでも、婦人用のものについてはベルト布ステッチを施さない場合もある。以下の図９，図１０，図１２，図１３，図１８乃至図２０，図２２乃至図２７においては、図を見易くするため、ベルト布ステッチの図示を省略する。
【００８９】
次に、本実施の形態３に係るＬポケット付き綿パン２１におけるタック２５の形成方法について、図９を参照して説明する。図９は左脇のＬポケットの近傍を拡大して示した図である。
【００９０】
図９に示されるように、前身頃２４と後身頃２９とが接ぎ合わされて、左側の脇線ＬＳが形成されるが、ここで前身頃２４の上端は脇線ＬＳから離れてＬポケット２２の外縁２２Ａを形成し、その裏側にはＬポケット２２のポケット袋布２８が縫付けられ、またポケット袋布２８には当て布２６が縫付けられて、その端は後身頃２９と接ぎ合わされて左側の脇線ＬＳの上部を形成する。
【００９１】
そして、更にポケット袋布２８及び当て布２６の上端を折り曲げることによって、タック２５が形成される。ここで、図９（ｂ），（ｃ）に示されるように、タック２５の折り目（脇山線）２５ａの裏側はタックの折り目の裏側またはその近傍には、折り目（脇山線）２５ａを折り曲げる前に予め芯材１４，または芯材１４Ｃが貼り付けられている。これによって、着用する際に立ち上がり易いタック２５の折り目（脇山線）２５ａが立ち上がるのを、折り目（脇山線）２５ａが開き易くすることによって防止して、タック２５が開くときに見栄えが損なわれるのを確実に防止することができる。特に、図９（ｃ）に示されるように、タック５の折り目（脇山線）２５ａの裏側の、折り目２５ａから離れた近傍に芯材１４Ｃを貼り付けるのが、より効果的である。
【００９２】
これらの前身頃２４と後身頃２９の上部に、収容部２３Ａを構成するベルト布２３Ａａ及び延出部２３Ｂを構成するベルト布２３Ｂａが、収容部の開口端２３Ａｂが脇線ＬＳの延長線上に位置するように縫付けられる。なお、収容部２３Ａを構成するベルト布２３Ａａは、Ｌポケット付き綿パン２１の前身頃２４及び後身頃２９と共地の綿生地であり、延出部２３Ｂを構成するベルト布２３ＢａもＬポケット付き綿パン２１の前身頃２４及び後身頃２９と共地の綿生地である。
【００９３】
このようにして、左側の脇線ＬＳに沿ってタック２５が形成され、右側のＬポケット２２の近傍にも、同様にして右側の脇線ＲＳに沿ってタック２５が形成される。このように、本実施の形態３に係るＬポケット付き綿パン２１においては、要部が左右の脇線ＬＳ，ＲＳの近傍に集中しているため、縫製の回数が少なくなり、生産効率が向上する。
【００９４】
次に、ウエスト周り伸縮自在構造について、図１０を参照して説明する。図１０は左側のＬポケット２２の近傍をＬポケット付き綿パン２１の裏側から見て示したものである。図１０（ａ）に示されるように、収容部２３Ａ及び延出部２３Ｂ内には、芯材としてのソフト芯ＳＣ及びハード芯ＨＣが、アイロンプレスによって貼り付けられている。そして、収容部２３Ａと延出部２３Ｂとの間に、主弾性材としての幅の広いゴムテープ１０が縫付けられている。
【００９５】
ここで、図１０（ａ），（ｂ）に示されるように、収容部２３Ａの端２３Ａｂは表裏ともベルト部２３の長手方向に対して略垂直であり、また収容部２３Ａを構成するベルト布２３Ａａの開口部近傍の内側には、延出部２３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。なお、本実施の形態３に係るＬポケット付き綿パン２１においては、伸び止め材１１の折り畳み部分の長さを約２．２ｃｍとして、ウエスト周りの伸縮長さを約２．２ｃｍとしている。
【００９６】
また、図１０（ｃ）に示されるように、Ｌポケット２２のポケット袋布２８の上端と延出部２３Ｂの下端とを補助弾性材としての幅の細いゴムテープ１２で接続しており、これによってウエスト周り伸縮自在構造によって延出部２３Ｂが移動する際にＬポケット２２のポケット袋布２８の形状が崩れたりして見栄えが悪くなるのを防ぐ働きをしている。
【００９７】
このような構造を有する収容部２３Ａを輪にして下端で閉じるとともに、図１０（ｃ）に示されるように、収容部２３Ａの下端にＬポケット付き綿パン２１の後身頃２９の側を縫付け、延出部２３Ｂを閉じるとともに、延出部２３Ｂの下端にＬポケット２２の外縁２２Ａを形成するＬポケット付き綿パン２１の前身頃２４の側を縫付けることによって、本実施の形態３に係るＬポケット付き綿パン２１の縫製が完了する。
【００９８】
すなわち、本実施の形態３に係るＬポケット付き綿パン２１は、両脇の脇線ＬＳ，ＲＳに沿って両脇の脇線ＬＳ，ＲＳの上端にタック２５が設けられるとともに、両脇の脇線ＬＳ，ＲＳから前中心ＦＣ方向に向かってポケット２２が設けられ、タック２５の近傍にベルト部２３の重ね合せ部が設けられ、両脇の脇線ＬＳ，ＲＳに沿って収容部の開口端２３Ａｂが設けられ、ポケット２２は外縁２２Ａが略Ｌ字型形状を有するＬポケット２２である。
【００９９】
更に、ベルト部２３において収容部の開口端２３Ａｂに沿ってベルト通し２７が設けられており、またタック２５はその折り目（脇山線）２５ａの裏側に芯材１４が貼り付けられている。したがって、本実施の形態３に係るウエスト周り伸縮自在ボトムズとしてのＬポケット付き綿パン２１は、請求項１，請求項３，請求項５，請求項７及び請求項８に係る発明のウエスト周り伸縮自在ボトムズに該当する。
【０１００】
このようにして、本実施の形態３に係るウエスト周り伸縮自在ボトムズとしてのＬポケット付き綿パン２１においては、前身頃２４及び後身頃２９の上部にシワ等が生ずるのを確実に防止するとともに、タック２５や収容部の開口端２３Ａｂを目立たないようにして見栄えを向上させることができ、かつ、生産性を高めることができるという作用効果が得られる。
【０１０１】
実施の形態４
次に、本発明の実施の形態４に係るウエスト周り伸縮自在ボトムズについて、図１１乃至図１３を参照して説明する。なお、本発明の実施の形態４に係るウエスト周り伸縮自在ボトムズは、一部を除いて上記実施の形態３に係るウエスト周り伸縮自在ボトムズと同様の構造を有しているため、同一の部分には同一の符号を付して、詳細な説明を省略する。
【０１０２】
図１１（ａ）は本発明の実施の形態４に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。図１２（ａ）は本発明の実施の形態４に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。図１３（ａ），（ｂ），（ｃ）は本発明の実施の形態４に係るウエスト周り伸縮自在ボトムズの要部裏面の縫製途中の構成を示す部品展開図である。
【０１０３】
図１１（ａ）に示されるように、本実施の形態４に係るウエスト周り伸縮自在ボトムズとしてのＬポケット付き綿パン３１は、前身頃２４の脇線ＬＳ，ＲＳの近傍に左右１対のＬポケット２２を有しており、これらのＬポケット２２の後端に当る脇線ＬＳ，ＲＳの上端の裏側にタック３２が設けられており、これらのタック３２の近傍に、ベルト部２３の見掛け上の長さを伸縮自在としたウエスト周り伸縮自在構造を有している。
【０１０４】
すなわち、ベルト部２３には前身頃２４の脇線ＬＳ，ＲＳの上部の近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されることによって、ベルト部２３の見掛け上の長さを伸縮自在としている。そして、ベルト部２３の伸縮に伴って、脇線ＬＳ，ＲＳの上端の裏側に設けられたタック３２が開閉する。
【０１０５】
これによって、ベルト部２３に引っ張り力が掛かっていない場合には、図１１（ｂ）に示されるように、タック３２は閉じていて裏側において脇線ＬＳ，ＲＳと一致しており、また脇線ＬＳ，ＲＳはベルト部２３に設けられた収容部２３Ａの開口端と一致しており、ベルト部２３に引っ張り力が掛かってウエスト周りが伸びると、図１１（ｃ）に示されるように、タック３２が開いて収容部２３Ａの開口端からは離れるが、なお脇線ＬＳ，ＲＳの延長線上に位置しているため、目立たず見栄えを損ねることがない。
【０１０６】
次に、本実施の形態４に係るＬポケット付き綿パン３１におけるタック３２の形成方法について、図１２を参照して説明する。図１２（ａ）は左脇のＬポケットの近傍を拡大して示した図である。
【０１０７】
図１２（ａ）に示されるように、前身頃２４と後身頃２９とが接ぎ合わされて、左側の脇線ＬＳが形成されるが、ここで前身頃２４の上端は脇線ＬＳから離れてＬポケット２２の外縁２２Ａを形成し、その裏側にはＬポケット２２のポケット袋布２８が縫付けられ、またポケット袋布２８には当て布２６が縫付けられて、ポケット袋布２８及び当て布２６の端３３は、後身頃２９と接ぎ合わされて左側の脇線ＬＳの上部を形成する。
【０１０８】
そして、ポケット袋布２８及び当て布２６の端３３の上端を折り曲げることによって、タック３２が形成される。ここで、図１２（ｂ），（ｃ）に示されるように、タック３２の折り目（脇山線）３２ａの裏側またはその近傍には、折り目（脇山線）３２ａを折り曲げる前に予め芯材１４または芯材１４Ｃが貼り付けられている。これによって、着用する際に立ち上がり易いタック３２の折り目（脇山線）３２ａが立ち上がるのを、折り目（脇山線）３２ａが開き易くすることによって防止して、タック３２が開くときに見栄えが損なわれるのを確実に防止することができる。特に、図１２（ｃ）に示されるように、タック３２の折り目（脇山線）３２ａの裏側の、折り目３２ａから離れた近傍に芯材１４Ｃを貼り付けるのが、より効果的である。
【０１０９】
これらの前身頃２４と後身頃２９の上部に、収容部２３Ａを構成するベルト布２３Ａａ及び延出部２３Ｂを構成するベルト布２３Ｂａが、収容部の開口端２３Ａｂが脇線ＬＳの延長線上に位置するように縫付けられる。このようにして、左側の脇線ＬＳに沿ってタック３２が形成され、右側のＬポケット２２の近傍にも、同様にして右側の脇線ＲＳに沿ってタック３２が形成される。このように、本実施の形態４に係るＬポケット付き綿パン３１においては、要部が左右の脇線ＬＳ，ＲＳの近傍に集中しているため、縫製の回数が少なくなり、生産効率が向上する。
【０１１０】
図１３に示されるように、ウエスト周り伸縮自在構造についても、上記実施の形態３に係るＬポケット付き綿パン２１と同様であるが、収容部２３Ａと延出部２３Ｂとの配置のみが、上記実施の形態３に係るＬポケット付き綿パン２１とは逆になっている。すなわち、前中心ＦＣ側に収容部２３Ａが設けられており、後身頃２９側に延出部２３Ｂが設けられている。なお、本実施の形態４に係るＬポケット付き綿パン２１においては、伸び止め材１１の折り畳み部分の長さを約２．５ｃｍとして、ウエスト周りの伸縮長さを約２．５ｃｍとしている。
【０１１１】
このようにして、本実施の形態４に係るウエスト周り伸縮自在ボトムズとしてのＬポケット付き綿パン３１においては、前身頃２４及び後身頃２９の上部にシワ等が生ずるのを確実に防止するとともに、タック３２や収容部の開口端２３Ａｂを目立たないようにして見栄えを向上させることができ、かつ、生産性を高めることができるという作用効果が得られる。
【０１１２】
実施の形態５
次に、本発明の実施の形態５に係るウエスト周り伸縮自在ボトムズについて、図１４を参照して説明する。なお、本発明の実施の形態５に係るウエスト周り伸縮自在ボトムズは、一部を除いて上記実施の形態１，２に係るウエスト周り伸縮自在ボトムズと同様の構造を有しているため、同一の部分には同一の符号を付して、詳細な説明を省略する。
【０１１３】
図１４（ａ）は本発明の実施の形態５に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【０１１４】
図１４（ａ）に示されるように、本実施の形態５に係るウエスト周り伸縮自在ボトムズとしてのスーツ用ズボン３６においては、前身頃４の脇線ＬＳ，ＲＳの近傍に左右１対の脇ポケットがなく、脇線ＬＳ，ＲＳの上部にそれぞれタック１７が設けられている。タック１７の形成の方法及びタック１７の構造は、上記実施の形態２に係るウエスト周り伸縮自在ボトムズと同様である。これらのタック１７の近傍に、ベルト部３の見掛け上の長さを伸縮自在としたウエスト周り伸縮自在構造を有している。
【０１１５】
すなわち、ベルト部３には左右１対のタック１７の近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されるとともに、脇線ＬＳ，ＲＳの上部に１対のタック１７を設けることによって、ベルト部３の見掛け上の長さを伸縮自在としている。なお、ウエスト周り伸縮自在構造についても、上記実施の形態２に係るウエスト周り伸縮自在ボトムズと同様である。
【０１１６】
これによって、ベルト部３に引っ張り力が掛かっていない場合には、図１４（ｂ）に示されるように、タック１７は折り畳まれた状態にあって脇線ＬＳ，ＲＳと一体となっており、ベルト部３に引っ張り力が掛かってウエスト周りが伸びると、図１４（ｃ）に示されるように、延出部３Ｂの近傍の前身頃４も延出部３Ｂと一体に移動して、タック１７が拡げられる。
【０１１７】
なお、図１４（ｂ），（ｃ）に示されるように、収容部３Ａ及び延出部３Ｂの上下端にはベルト布ステッチ３ａ，３ｂが施されている。ジーンズ（Ｇパン）、綿パンを始めとするカジュアルなボトムズにおいては、このようなベルト布ステッチ３ａ，３ｂを施すのが一般的であるが、本実施の形態５に係るスーツ用ズボン３６等のフォーマルなボトムズでは、ベルト布ステッチを施さない場合もある。
【０１１８】
このようにして、本実施の形態５に係るウエスト周り伸縮自在ボトムズとしてのスーツ用ズボン３６においては、前身頃４及び後身頃９の上部にシワ等が生ずるのを確実に防止するとともに、タック５や収容部の開口端３Ａｂを目立たないようにして見栄えを向上させることができ、かつ、生産性を高めることができるという作用効果が得られる。
【０１１９】
実施の形態６
次に、本発明の実施の形態６に係るウエスト周り伸縮自在ボトムズについて、図１５及び図１６を参照して説明する。なお、本発明の実施の形態６に係るウエスト周り伸縮自在ボトムズは、一部を除いて上記実施の形態３，４に係るウエスト周り伸縮自在ボトムズと同様の構造を有しているため、同一の部分には同一の符号を付して、詳細な説明を省略する。
【０１２０】
図１５（ａ）は本発明の実施の形態６に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。図１６（ａ）は本発明の実施の形態６の第１変形例に係るウエスト周り伸縮自在ボトムズの左脇線の近傍を表側から見て示す部分拡大図、（ｂ）は本発明の実施の形態６の第２変形例に係るウエスト周り伸縮自在ボトムズの左脇線の近傍を表側から見て示す部分拡大図、（ｃ）は本発明の実施の形態６の第３変形例に係るウエスト周り伸縮自在ボトムズの左脇線の近傍を表側から見て示す部分拡大図である。
【０１２１】
図１５（ａ）に示されるように、本実施の形態６に係るウエスト周り伸縮自在ボトムズとしての婦人用パンツ４０においては、前身頃２４の脇線ＬＳ，ＲＳの上部にそれぞれタック２５が設けられ、このタック２５のすぐ下にポケット口３９を有する脇中間ポケット３８がそれぞれ設けられている。これらのタック２５の近傍に、ベルト部２３の見掛け上の長さを伸縮自在としたウエスト周り伸縮自在構造を有している。
【０１２２】
すなわち、ベルト部２３には左右１対のタック２５の近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されるとともに、脇線ＬＳ，ＲＳの上部に１対のタック２５を設けることによって、ベルト部２３の見掛け上の長さを伸縮自在としている。
【０１２３】
これによって、ベルト部２３に引っ張り力が掛かっていない場合には、図１５（ｂ）に示されるように、タック２５は折り畳まれた状態にあって脇線ＬＳ，ＲＳと一体となっており、ベルト部２３に引っ張り力が掛かってウエスト周りが伸びると、図１５（ｃ）に示されるように、延出部２３Ｂの近傍の前身頃２４も延出部２３Ｂと一体に移動して、タック２５が拡げられる。
【０１２４】
なお、図１５（ｂ），（ｃ）に示されるように、収容部２３Ａ及び延出部２３Ｂの上下端にはベルト布ステッチ２３ａ，２３ｂが施されている。ジーンズ（Ｇパン）、綿パンを始めとするカジュアルなボトムズにおいては、このようなベルト布ステッチ２３ａ，２３ｂを施すのが一般的であるが、本実施の形態６に係る婦人用パンツ４０等のボトムズでは、ベルト布ステッチを施さない場合もある。
【０１２５】
また、本実施の形態６に係る婦人用パンツ４０において、上記実施の形態１，２のような脇ポケットではなく脇中間ポケット３８が設けられているのは、女性は骨盤が大きいので、通常の脇ポケットを設けると着用したときにポケット口が変形し易く余り好まれないが、かかる脇中間ポケット３８ではそのような恐れがないため、上記実施の形態３，４で述べたようなＬポケットと同様に、婦人用パンツのポケットとして好ましいからである。
【０１２６】
次に、本実施の形態６の第１変形例に係るウエスト周り伸縮自在ボトムズとしての婦人用パンツ４０Ａについて、図１６（ａ）を参照して説明する。本実施の形態６の第１変形例に係る婦人用パンツ４０Ａの基本的な構造は、上述した本実施の形態６に係る婦人用パンツ４０とほぼ同様であるので、同一の部分には同一の符号を付して説明を省略する。
【０１２７】
図１６（ａ）に示されるように、第１変形例に係る婦人用パンツ４０Ａが上述した婦人用パンツ４０と異なるのは、タック２５のすぐ下にポケット口３９を有する脇中間ポケット３８を設ける代わりに、タック２５の近傍の前中心側に片玉縁のポケット口３９Ａを有する片玉縁ポケット３８Ａを設けた点である。
【０１２８】
このような構成を有する本実施の形態６の第１変形例に係るウエスト周り伸縮自在ボトムズとしての婦人用パンツ４０Ａは、タック２５の近傍に片玉縁のポケット口３９Ａを有する片玉縁ポケット３８Ａを設けたため、骨盤の大きい女性が着用してもポケット口３９Ａが変形して見栄えが悪くなるのを防止することができる。
【０１２９】
次に、本実施の形態６の第２変形例に係るウエスト周り伸縮自在ボトムズとしての婦人用パンツ４０Ｂについて、図１６（ｂ）を参照して説明する。本実施の形態６の第２変形例に係る婦人用パンツ４０Ｂの基本的な構造は、上述した本実施の形態６に係る婦人用パンツ４０とほぼ同様であるので、同一の部分には同一の符号を付して説明を省略する。
【０１３０】
図１６（ｂ）に示されるように、第２変形例に係る婦人用パンツ４０Ｂが上述した婦人用パンツ４０と異なるのは、タック２５のすぐ下にポケット口３９を有する脇中間ポケット３８を設ける代わりに、タック２５の近傍の前中心側に両玉縁のポケット口３９Ｂを有する両玉縁ポケット３８Ｂを設けた点である。
【０１３１】
このような構成を有する本実施の形態６の第２変形例に係るウエスト周り伸縮自在ボトムズとしての婦人用パンツ４０Ｂは、タック２５の近傍に両玉縁のポケット口３９Ｂを有する両玉縁ポケット３８Ｂを設けたため、骨盤の大きい女性が着用してもポケット口２０Ａが変形して見栄えが悪くなるのを防止することができる。
【０１３２】
次に、本実施の形態６の第３変形例に係るウエスト周り伸縮自在ボトムズとしての婦人用パンツ４０Ｃについて、図１６（ｃ）を参照して説明する。本実施の形態６の第３変形例に係る婦人用パンツ４０Ｃの基本的な構造は、上述した本実施の形態６に係る婦人用パンツ４０とほぼ同様であるので、同一の部分には同一の符号を付して説明を省略する。
【０１３３】
図１６（ｃ）に示されるように、第３変形例に係る婦人用パンツ４０Ｃが上述した婦人用パンツ４０と異なるのは、タック２５のすぐ下にポケット口３９を有する脇中間ポケット３８を設ける代わりに、タック２５の近傍の前中心側にフラップ付きのポケット口３９Ｃを有するフラップ付きポケット３８Ｃを設けた点である。
【０１３４】
このような構成を有する本実施の形態６の第３変形例に係るウエスト周り伸縮自在ボトムズとしての婦人用パンツ４０Ｃは、タック２５の近傍にフラップ付きのポケット口３９Ｃを有するフラップ付きポケット３８Ｃを設けたため、骨盤の大きい女性が着用してもポケット口３９Ｃが変形して見栄えが悪くなるのを防止することができる。
【０１３５】
このようにして、本実施の形態６に係るウエスト周り伸縮自在ボトムズとしての婦人用パンツ４０，４０Ａ，４０Ｂ，４０Ｃにおいては、ウエスト周りが伸縮する際に、両脇ＬＳ，ＲＳの上部に設けられたタック２５が開閉することによって前身頃２４にシワがよることがなく、より見栄えの良いウエスト周り伸縮自在ボトムズとなる。したがって、本実施の形態６に係るウエスト周り伸縮自在ボトムズとしての婦人用パンツ４０，４０Ａ，４０Ｂ，４０Ｃは、請求項１，請求項３，請求項６，請求項７及び請求項８の発明に係るウエスト周り伸縮自在ボトムズに該当する。
【０１３６】
これによって、本実施の形態６に係る婦人用パンツ４０，４０Ａ，４０Ｂ，４０Ｃは、両脇の脇線ＬＳ，ＲＳの上端にタック２５が設けられたことによって、延出部２３Ｂと収容部２３Ａとの間に両端が接続された主弾性材１０が伸縮してウエスト周りが伸縮するのに伴って、タック２５が開閉するために、ベルト部２３に縫付けられた前身頃２４及び後身頃２９の上部にシワ等が生ずるのが防止される。そして、タック２５は、前身頃２４と後身頃２９が接ぎ合わされて形成される脇線ＬＳ，ＲＳに沿って設けられているため、閉じた状態では脇線ＬＳ，ＲＳと一体となり、開いた状態でも脇線ＬＳ，ＲＳの延長線上にあるため、目立つことがなく見栄えが向上する。
【０１３７】
また、タック２５の近傍にベルト部２３の重ね合せ部が設けられ、両脇の脇線ＬＳ，ＲＳに沿って収容部の開口端２３Ａｂが設けられているために、収容部の開口端２３Ａｂも脇線ＬＳ，ＲＳの延長線上にある線として一体に認識され、その上収容部の開口端２３Ａｂに沿ってベルト通し２７が設けられているため、目立つことがなく見栄えを向上させることができる。
【０１３８】
そして、脇線ＬＳ，ＲＳもタック１７も収容部の開口端３Ａｂも、全て狭い範囲内に集中しているため、婦人用パンツ４０，４０Ａ，４０Ｂ，４０Ｃの縫製作業を狭い範囲内で集中して行うことができ、縫製の回数も少なくなるため、生産性の高いウエスト周り伸縮自在ボトムズとすることができる。また、着用する際に立ち上がり易いタック２５の折り目（脇山線）２５ａが立ち上がるのを、折り目（脇山線）２５ａの裏側に芯材１４を貼り付けることによって、折り目（脇山線）２５ａが開き易くすることで防止して、タック２５が開くときに見栄えが損なわれるのを確実に防止することができる。
【０１３９】
このようにして、本実施の形態６に係るウエスト周り伸縮自在ボトムズとしての婦人用パンツ４０，４０Ａ，４０Ｂ，４０Ｃにおいては、前身頃２４及び後身頃２９の上部にシワ等が生ずるのを確実に防止するとともに、タック２５や収容部の開口端２３Ａｂを目立たないようにして見栄えを向上させることができ、かつ、生産性を高めることができるという作用効果が得られる。
【０１４０】
実施の形態７
次に、本発明の実施の形態７に係るウエスト周り伸縮自在ボトムズについて、図１７乃至図２１を参照して説明する。なお、本発明の実施の形態７に係るウエスト周り伸縮自在ボトムズは、一部を除いて上記実施の形態４に係るウエスト周り伸縮自在ボトムズと同様の構造を有しているため、図１１乃至図１３と同一の部分には同一の符号を付して、詳細な説明を省略する。
【０１４１】
図１７（ａ）は本発明の実施の形態７に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。図１８（ａ）は本発明の実施の形態７に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。
【０１４２】
図１９は本発明の実施の形態７に係るウエスト周り伸縮自在ボトムズの要部裏面の縫製途中の構成を示す部品展開図である。図２０（ａ）は本発明の実施の形態７の変形例に係るウエスト周り伸縮自在ボトムズとしてのＬポケット付き綿パンのベルト部の重ね合せ部近傍を拡大して示す部分拡大図、（ｂ）はウエスト周りが伸長した状態を示す部分拡大図である。図２１（ａ）は本発明の実施の形態７の変形例に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。
【０１４３】
図１７（ａ）に示されるように、本実施の形態７に係るウエスト周り伸縮自在ボトムズとしてのＬポケット付き綿パン４１は、前身頃２４の脇線ＬＳ，ＲＳの近傍に左右１対のＬポケット２２を有しており、これらのＬポケット２２の後端に当る脇線ＬＳ，ＲＳの上端の裏側にタック４２が設けられており、これらのタック４２の近傍に、ベルト部２３の見掛け上の長さを伸縮自在としたウエスト周り伸縮自在構造を有している。
【０１４４】
図１８（ａ）に示されるように、本実施の形態７に係るＬポケット付き綿パン４１においては、左側の脇線ＬＳに沿った後身頃２９の折り目４２ａから離れた位置において、後身頃２９とポケット袋布２８，当て布２６の端がステッチ４３で縫付けられることによって、タック４２が形成される。
【０１４５】
ここで、図１８（ｂ），（ｃ）に示されるように、タック４２の折り目（脇山線）４２ａの裏側またはその近傍には、折り目（脇山線）４２ａを折り曲げる前に予め芯材１４または芯材１４Ｃが貼り付けられている。これによって、着用する際に立ち上がり易いタック４２の折り目（脇山線）４２ａが立ち上がるのを、折り目（脇山線）４２ａが開き易くすることによって防止して、タック４２が開くときに見栄えが損なわれるのを確実に防止することができる。
【０１４６】
そして、図１９に示されるように、収容部２３Ａを輪にして下端で閉じるとともに、延出部２３Ｂの下端にＬポケット付き綿パン４１の後身頃２９の側を縫付け、延出部２３Ｂを閉じるとともに、収容部２３Ａの下端にＬポケット２２の外縁２２Ａを形成するＬポケット付き綿パン４１の前身頃２４の側を縫付けることによって、本実施の形態７に係るＬポケット付き綿パン４１の縫製が完了する。
【０１４７】
これによって、ベルト部２３に引っ張り力が掛かっていない場合には、図１７（ｂ）に示されるように、タック４２は閉じていて折り目４２ａは脇線ＬＳ，ＲＳと一致しており、また脇線ＬＳ，ＲＳはベルト部２３に設けられた収容部２３Ａの開口端と一致しており、ベルト部２３に引っ張り力が掛かってウエスト周りが伸びると、図１７（ｃ）に示されるように、タック４２が開いて折り目４２ａは収容部２３Ａの開口端からは離れるが、なお脇線ＬＳ，ＲＳの延長線上に位置しているため、目立たず見栄えを損ねることがない。
【０１４８】
また、図２１（ａ）に示されるように、本実施の形態７の変形例に係るＬポケット付き綿パン４１Ａにおいては、左側の脇線ＬＳに沿った後身頃２９の折り目４２ａから離れた位置において、後身頃２９とポケット袋布２８，当て布２６の端がステッチ４３で縫付けられてタック４２が形成されるとともに、後身頃２９の折り返し部分に切れ目４４及びコバステッチ４５が施される。そして、ポケット袋布２８と当て布２６は中間部分で細く折り返されて、デザインステッチ２２Ｂによって縫付けられる。
【０１４９】
これによって、本実施の形態７の変形例に係るＬポケット付き綿パン４１Ａは、ベルト部２３に引っ張り力が掛かっていない場合には、図２０（ａ）に示されるように、タック４２は閉じていて折り目４２ａ及びデザインステッチ２２Ｂは脇線ＬＳと一致しており、また脇線ＬＳはベルト部２３に設けられた収容部２３Ａの開口端と一致しており、ベルト部２３に引っ張り力が掛かってウエスト周りが伸びると、図２０（ｂ）に示されるように、タック４２が開いて折り目４２ａは収容部２３Ａの開口端からは離れるが、なお脇線ＬＳの延長線上に位置しており、更にデザインステッチ２２Ｂが脇線ＬＳと収容部２３Ａの開口端をつないでいるため、目立たず見栄えを損ねることがない。
【０１５０】
このようにして、本実施の形態７に係るウエスト周り伸縮自在ボトムズとしてのＬポケット付き綿パン４１，４１Ａにおいては、前身頃２４及び後身頃２９の上部にシワ等が生ずるのを確実に防止するとともに、タック４２や収容部の開口端２３Ａｂを目立たないようにして見栄えを向上させることができ、かつ、生産性を高めることができるという作用効果が得られる。
【０１５１】
実施の形態８
次に、本発明の実施の形態８に係るウエスト周り伸縮自在ボトムズについて、図２２及び図２３を参照して説明する。なお、本発明の実施の形態８に係るウエスト周り伸縮自在ボトムズは、一部を除いて上記実施の形態３に係るウエスト周り伸縮自在ボトムズと同様の構造を有しているため、図８乃至図１０と同一の部分には同一の符号を付して、詳細な説明を省略する。
【０１５２】
図２２（ａ）は本発明の実施の形態８に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。  図２３は本発明の実施の形態８に係るウエスト周り伸縮自在ボトムズの要部の縫製途中の構成を表側から見て示す部品展開図である。
【０１５３】
図２２（ａ）に示されるように、本実施の形態８に係るウエスト周り伸縮自在ボトムズとしてのＬポケット付き綿パン４６は、前身頃２４の脇線ＬＳ，ＲＳの近傍に左右１対のＬポケット２２を有しており、これらのＬポケット２２の後端に当る脇線ＬＳ，ＲＳの上端にタック４７が設けられており、これらのタック４７の近傍に、ベルト部２３の見掛け上の長さを伸縮自在としたウエスト周り伸縮自在構造を有している。
【０１５４】
図２３に示されるように、本実施の形態８に係るＬポケット付き綿パン４６においては、左側の脇線ＬＳに沿ったポケット袋布２８，当て布２６の折り目４７ａから離れた位置において、ポケット袋布２８，当て布２６の端と後身頃２９の端がステッチ４８で縫付けられることによって、タック４７が形成される。
【０１５５】
これによって、ベルト部２３に引っ張り力が掛かっていない場合には、図２２（ｂ）に示されるように、タック４７は閉じていて折り目４７ａは脇線ＬＳ，ＲＳと一致しており、また脇線ＬＳ，ＲＳはベルト部２３に設けられた収容部２３Ａの開口端と一致しており、ベルト部２３に引っ張り力が掛かってウエスト周りが伸びると、図２２（ｃ）に示されるように、タック４７が開いて折り目４７ａは収容部２３Ａの開口端からは離れるが、なお脇線ＬＳ，ＲＳの延長線上に位置しているため、目立たず見栄えを損ねることがない。
【０１５６】
このようにして、本実施の形態８に係るウエスト周り伸縮自在ボトムズとしてのＬポケット付き綿パン４６においては、前身頃２４及び後身頃２９の上部にシワ等が生ずるのを確実に防止するとともに、タック４７や収容部の開口端２３Ａｂを目立たないようにして見栄えを向上させることができ、かつ、生産性を高めることができるという作用効果が得られる。
【０１５７】
実施の形態９
次に、本発明の実施の形態９に係るウエスト周り伸縮自在ボトムズについて、図２４乃至図２７を参照して説明する。図２４（ａ）は本発明の実施の形態９に係るウエスト周り伸縮自在ボトムズのベルト部の重ね合せ部近傍を拡大して示す部分拡大図、（ｂ）はウエスト周りが伸長した状態を示す部分拡大図である。図２５（ａ）は本発明の実施の形態９の第１変形例に係るウエスト周り伸縮自在ボトムズのベルト部の重ね合せ部近傍を拡大して示す部分拡大図、（ｂ）はウエスト周りが伸長した状態を示す部分拡大図である。
【０１５８】
図２６（ａ）は本発明の実施の形態９の第２変形例に係るウエスト周り伸縮自在ボトムズのベルト部の重ね合せ部近傍を拡大して示す部分拡大図、（ｂ）はウエスト周りが伸長した状態を示す部分拡大図である。  図２７（ａ）は本発明の実施の形態９の第３変形例に係るウエスト周り伸縮自在ボトムズのウエスト周りが伸長した状態を示す部分拡大図、（ｂ）は本発明の実施の形態９の第４変形例に係るウエスト周り伸縮自在ボトムズのウエスト周りが伸長した状態を示す部分拡大図、（ｃ）は本発明の実施の形態９の第５変形例に係るウエスト周り伸縮自在ボトムズのウエスト周りが伸長した状態を示す部分拡大図である。
【０１５９】
図２４（ａ），（ｂ）に示されるように、本実施の形態９に係るウエスト周り伸縮自在ボトムズとしてのＬポケット付き綿パン５１は、左脇線ＬＳ及び図示しない右脇線の近傍に、角張ったＬ字形状の外縁５２ａを有するＬポケット５２を有し、外縁５２ａの二箇所に黒色の飾りボタン５６が取付けられている。なお、タック５５の形成方法や伸縮自在のベルト部５３の構造については、図１１乃至図１３に示される実施の形態４に係るウエスト周り伸縮自在ボトムズとしてのＬポケット付き綿パン３１と同様である。
【０１６０】
また、図２５（ａ），（ｂ）に示されるように、本実施の形態９の第１変形例に係るウエスト周り伸縮自在ボトムズとしてのＬポケット付き綿パン５１Ａは、左脇線ＬＳ及び図示しない右脇線の近傍に、角張ったＬ字形状の外縁５２Ａａを有するＬポケット５２Ａを有し、外縁５２Ａａの二箇所に白色の飾りボタン５６Ａが取付けられている。なお、タック５５Ａの形成方法や伸縮自在のベルト部５４の構造については、図８乃至図１０に示される実施の形態３に係るウエスト周り伸縮自在ボトムズとしてのＬポケット付き綿パン２１と同様である。
【０１６１】
更に、図２６（ａ），（ｂ）に示されるように、本実施の形態９の第２変形例に係るウエスト周り伸縮自在ボトムズとしてのＬポケット付き綿パン５１Ｂは、左脇線ＬＳ及び図示しない右脇線の近傍に、縦方向に長い角張ったＬ字形状の外縁５２Ｂａを有するＬポケット５２Ｂを有する。なお、タック５５Ｂの形成方法や伸縮自在のベルト部５４の構造については、図８乃至図１０に示される実施の形態３に係るウエスト周り伸縮自在ボトムズとしてのＬポケット付き綿パン２１と同様である。
【０１６２】
また、図２７（ａ）に示されるように、本実施の形態９の第３変形例に係るウエスト周り伸縮自在ボトムズ５１Ｃは、左脇線ＬＳ及び図示しない右脇線ＲＳの近傍に、直線形状の外縁５２Ｃａを有する脇ポケット５２Ｃを有し、脇線ＬＳ，ＲＳの上端５６Ｃが外縁５２Ｃａとほぼ平行にデザインステッチを施されており、意匠的にも優れたものとなっている。なお、タック５５Ｃの形成方法や伸縮自在のベルト部５３の構造については、図１１乃至図１３に示される実施の形態４に係るウエスト周り伸縮自在ボトムズとしてのＬポケット付き綿パン３１と同様である。
【０１６３】
更に、図２７（ｂ）に示されるように、本実施の形態９の第４変形例に係るウエスト周り伸縮自在ボトムズ５１Ｄは、左脇線ＬＳ及び図示しない右脇線ＲＳの上部にそれぞれタック５５Ｄが設けられ、このタック５５Ｄのすぐ下にポケット口５２Ｄａを有する脇中間ポケット５２Ｄがそれぞれ設けられ、脇線ＬＳ，ＲＳの上端５６Ｄにデザインステッチが施されており、意匠的にも優れたものとなっている。
【０１６４】
このようなウエスト周り伸縮自在ボトムズ５１Ｄは、特に紳士用ゴルフスラックス等として適している。なお、タック５５Ｄの形成方法や伸縮自在のベルト部５３の構造については、図１１乃至図１３に示される実施の形態４に係るウエスト周り伸縮自在ボトムズとしてのＬポケット付き綿パン３１と同様である。
【０１６５】
また、図２７（ｃ）に示されるように、本実施の形態９の第５変形例に係るウエスト周り伸縮自在ボトムズ５１Ｅは、左脇線ＬＳ及び図示しない右脇線ＲＳの上部にそれぞれタック５５Ｅが設けられ、このタック５５Ｅのすぐ下にポケット口５２Ｅａを有する脇中間ポケット５２Ｅがそれぞれ設けられ、ポケット口５２Ｅａにはつまみ５４Ｅを有するコンシールファスナーが取付けられている。更に、脇線ＬＳ，ＲＳの上端５６Ｅにデザインステッチが施されており、意匠的にも優れたものとなっている。
【０１６６】
このようなウエスト周り伸縮自在ボトムズ５１Ｅは、骨盤の大きい女性が着用した場合でもポケット口５２Ｅａが開かないため、特に女性用スラックス等として適している。なお、タック５５Ｅの形成方法や伸縮自在のベルト部５３の構造については、図１１乃至図１３に示される実施の形態４に係るウエスト周り伸縮自在ボトムズとしてのＬポケット付き綿パン３１と同様である。
【０１６７】
したがって、本実施の形態９に係るウエスト周り伸縮自在ボトムズ５１，５１Ａ，５１Ｂ，５１Ｃ，５１Ｄ，５１Ｅにおいては、前身頃及び後身頃の上部にシワ等が生ずるのを確実に防止するとともに、タック５５，５５Ａ，５５Ｂ，５５Ｃ，５５Ｄ，５５Ｅや収容部５３Ａ，５４Ａの開口端を目立たないようにして見栄えを向上させることができ、かつ、生産性を高めることができ、更に、意匠的にも優れたものとなるという作用効果が得られる。
【０１６８】
上記各実施の形態においては、ウエスト周り伸縮自在ボトムズとしてスーツ用ズボン、Ｌポケット付き綿パン及び婦人用パンツを例として説明したが、ウエスト周り伸縮自在ボトムズとしてはこれらに限られるものではなく、スラックスやＬポケット以外のポケットの付いた綿パンを始めとして、ジーンズ（Ｇパン）、スカート、キュロットスカート等、ベルト部に重ね合せ部を備えたウエスト部を有する被服であれば、どのような被服にも適用することができる。
【０１６９】
また、上記各実施の形態においては、収容部及び延出部をいずれもウエスト周り伸縮自在ボトムズの前身頃及び後身頃と共地で作製しており、かつ、収容部及び延出部の表裏を一体として、ベルト部上端で折り曲げる構成とした例についてのみ説明したが、収容部及び延出部の構成はこれに限られるものではない。
【０１７０】
例えば、収容部及び延出部の表側のみを前身頃及び後身頃と共地として、収容部及び延出部の裏側は別の生地として、ベルト部上端で両者の生地を接ぐ構成とすることもできる。ここで、収容部及び延出部の裏側を構成する別の生地としては、収容部の裏側をマーベルトとして延出部の裏側にもマーベルトを用いる構成、収容部及び延出部の裏側を一体として伸縮性を有する生地、例えばパワーネットやゴム生地を用いる構成が考えられる。また、延出部の裏側にゴム生地を用いて、収容部の裏側を前身頃と共地で作製するか、若しくはマーベルトとする構成を採用することもできる。
【０１７１】
更に、上記各実施の形態においては、主弾性材としてゴムテープを用いた場合について説明したが、主弾性材としては他にも平ゴム、ゴム製板等の様々な弾性を有する素材を用いることができる。
【０１７２】
本発明を実施するに際しては、ウエスト周り伸縮自在ボトムズの構造、形状、材質、生地、大きさ、長さ、幅、接続関係、製造方法等についても、上記各実施の形態に限定されるものではない。なお、本発明の実施の形態で挙げている数値は、臨界値を示すものではなく、実施に好適な好適値を示すものであるから、上記数値を若干変更してもその実施を否定するものではない。
【図面の簡単な説明】
【０１７３】
【図１】図１（ａ）は本発明の実施の形態１に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【図２】図２は本発明の実施の形態１に係るウエスト周り伸縮自在ボトムズの要部の縫製途中の構成を表側から見て示す部品展開図である。
【図３】図３（ａ），（ｂ），（ｃ）はタックの折り目の裏側またはその近傍に芯材を貼ることを示す部品展開図である。
【図４】図４（ａ），（ｂ），（ｃ）は本発明の実施の形態１に係るウエスト周り伸縮自在ボトムズの要部裏面の縫製途中の構成を示す部品展開図である。
【図５】図５（ａ）は本発明の実施の形態２に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【図６】図６（ａ）は本発明の実施の形態２に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。
【図７】図７（ａ），（ｂ），（ｃ）は本発明の実施の形態２に係るウエスト周り伸縮自在ボトムズの要部裏面の縫製途中の構成を示す部品展開図である。
【図８】図８（ａ）は本発明の実施の形態３に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図９】図９（ａ）は本発明の実施の形態３に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。
【図１０】図１０（ａ），（ｂ），（ｃ）は本発明の実施の形態３に係るウエスト周り伸縮自在ボトムズの要部裏面の縫製途中の構成を示す部品展開図である。
【図１１】図１１（ａ）は本発明の実施の形態４に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図１２】図１２（ａ）は本発明の実施の形態４に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。
【図１３】図１３（ａ），（ｂ），（ｃ）は本発明の実施の形態４に係るウエスト周り伸縮自在ボトムズの要部裏面の縫製途中の構成を示す部品展開図である。
【図１４】図１４（ａ）は本発明の実施の形態５に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【図１５】図１５（ａ）は本発明の実施の形態６に係るウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【図１６】図１６（ａ）は本発明の実施の形態６の第１変形例に係るウエスト周り伸縮自在ボトムズの左脇線の近傍を表側から見て示す部分拡大図、（ｂ）は本発明の実施の形態６の第２変形例に係るウエスト周り伸縮自在ボトムズの左脇線の近傍を表側から見て示す部分拡大図、（ｃ）は本発明の実施の形態６の第３変形例に係るウエスト周り伸縮自在ボトムズの左脇線の近傍を表側から見て示す部分拡大図である。
【図１７】図１７（ａ）は本発明の実施の形態７に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図１８】図１８（ａ）は本発明の実施の形態７に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。
【図１９】図１９は本発明の実施の形態７に係るウエスト周り伸縮自在ボトムズの要部裏面の縫製途中の構成を示す部品展開図である。
【図２０】図２０（ａ）は本発明の実施の形態７の変形例に係るウエスト周り伸縮自在ボトムズとしてのＬポケット付き綿パンのベルト部の重ね合せ部近傍を拡大して示す部分拡大図、（ｂ）はウエスト周りが伸長した状態を示す部分拡大図である。
【図２１】図２１（ａ）は本発明の実施の形態７の変形例に係るウエスト周り伸縮自在ボトムズの要部の縫製途中の構成を表側から見て示す部品展開図、（ｂ），（ｃ）はタックの折り目の裏側またはその近傍に芯材を貼ることを示す部品展開図である。
【図２２】図２２（ａ）は本発明の実施の形態８に係るウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図２３】図２３は本発明の実施の形態８に係るウエスト周り伸縮自在ボトムズの要部の縫製途中の構成を表側から見て示す部品展開図である。
【図２４】図２４（ａ）は本発明の実施の形態９に係るウエスト周り伸縮自在ボトムズのベルト部の重ね合せ部近傍を拡大して示す部分拡大図、（ｂ）はウエスト周りが伸長した状態を示す部分拡大図である。
【図２５】図２５（ａ）は本発明の実施の形態９の第１変形例に係るウエスト周り伸縮自在ボトムズのベルト部の重ね合せ部近傍を拡大して示す部分拡大図、（ｂ）はウエスト周りが伸長した状態を示す部分拡大図である。
【図２６】図２６（ａ）は本発明の実施の形態９の第２変形例に係るウエスト周り伸縮自在ボトムズのベルト部の重ね合せ部近傍を拡大して示す部分拡大図、（ｂ）はウエスト周りが伸長した状態を示す部分拡大図である。
【図２７】図２７（ａ）は本発明の実施の形態９の第３変形例に係るウエスト周り伸縮自在ボトムズのウエスト周りが伸長した状態を示す部分拡大図、（ｂ）は本発明の実施の形態９の第４変形例に係るウエスト周り伸縮自在ボトムズのウエスト周りが伸長した状態を示す部分拡大図、（ｃ）は本発明の実施の形態９の第５変形例に係るウエスト周り伸縮自在ボトムズのウエスト周りが伸長した状態を示す部分拡大図である。
【符号の説明】
【０１７４】
１，１６，２１，３１，３６，４０，４０Ａ，４０Ｂ，４０Ｃ，４１，４１Ａ，４６，５１，５１Ａ，５１Ｂ，５１Ｃ，５１Ｄ，５１Ｅ  ウエスト周り伸縮自在ボトムズ
２  脇ポケット
２Ａ，２２Ａ  外縁
３，２３  ベルト部
３Ａ，２３Ａ  収容部
３Ｂ，２３Ｂ  延出部
３Ａｂ，２３Ａｂ  収容部の開口端
３ａ，３ｂ，２３ａ，２３ｂ  ベルト布ステッチ
４，２４  前身頃
５，１７，２５，３２，４２，４７  タック
６，２６  当て布
７，２７  ベルト通し
８，２８  ポケット袋布
９，２９  後身頃
１０  主弾性材
１１  伸び止め材
１２  補助弾性材
１４，１４Ａ，１４Ｂ，１４Ｃ  芯材
２２  Ｌポケット
３８  脇中間ポケット
３８Ａ，３８Ｂ，３８Ｃ  ポケット
３９，３９Ａ，３９Ｂ，３９Ｃ  ポケット口
ＦＣ  前中心
ＬＳ，ＲＳ  脇線
【図１】
2009102790.tif 000003
【図２】
2009102790.tif 000004
【図３】
2009102790.tif 000005
【図４】
2009102790.tif 000006
【図５】
2009102790.tif 000007
【図６】
2009102790.tif 000008
【図７】
2009102790.tif 000009
【図８】
2009102790.tif 000010
【図９】
2009102790.tif 000011
【図１０】
2009102790.tif 000012
【図１１】
2009102790.tif 000013
【図１２】
2009102790.tif 000014
【図１３】
2009102790.tif 000015
【図１４】
2009102790.tif 000016
【図１５】
2009102790.tif 000017
【図１６】
2009102790.tif 000018
【図１７】
2009102790.tif 000019
【図１８】
2009102790.tif 000020
【図１９】
2009102790.tif 000021
【図２０】
2009102790.tif 000022
【図２１】
2009102790.tif 000023
【図２２】
2009102790.tif 000024
【図２３】
2009102790.tif 000025
【図２４】
2009102790.tif 000026
【図２５】
2009102790.tif 000027
【図２６】
2009102790.tif 000028
【図２７】
2009102790.tif 000029